(57)【要約】      （修正有）【課題】小型ＣＣＤカメラと通信端末モジュール、撮影した画像を保存する記録媒体と撮影した画像の中に顔を検知させるためのソフトウェアライブラリー、それらを制御する基盤と電源供給用のバッテリーを具えた一体型の装置。【解決手段】屋内又は屋外への外出時に持ち運ぶことで、行動している先の映像を小型カメラが１秒間に１枚の割合で自動撮影し、その小型カメラの画像データを制御している基盤から記録媒体（フラッシュメモリ）へ一時保存するとともに、撮影、記録保存した画像データの中から人の「顔」だけを検知させ、検知した「顔」の画像データを通信用モジュールが遠隔地にある保存用サーバーへ転送させることで、犯罪や事故に関りをもつ可能性のある「人」という撮像だけを遠隔地に転送し、その画像を保存することで無駄のない検索、検証作業を行うことができる。【選択図】図９
0003112652.tif 000002
【実用新案登録請求の範囲】
【請求項１】
ＣＣＤ（電荷結合素子）カメラを用いて自動撮影した画像を転送させる装置で、メインボードを具え、ＣＰＵ（中央演算処理装置）とＲＡＭ（主記憶装置）などの基本的な制御ユニットと、ＣＣＤカメラを使用して撮影した画像データを転送するための移動通信システムモジュール装置と、画像保存用記録媒体（フラッシュメモリ）および電源供給用のバッテリーと画像データの中にある顔が写しだされているデータを検知する顔認識ソフトウェアライブラリーを内蔵し、ＣＣＤカメラで撮影し続けた画像を画像データ保存用記録媒体（フラッシュメモリ）へ一時保存する室内、屋外対応の一体型装置。
【請求項２】
前記ＣＣＤカメラを用いて自動撮影した画像を転送させる装置で、記録媒体に保存している画像データの中にある顔が写しだされているデータを検知する顔認識ソフトウェアライブラリーを内蔵し、ＣＣＤカメラで撮影し続けた画像データを画像保存用記録媒体（フラッシュメモリ）へ一時保存し、その中で人の顔として認識した画像を特定し、その特定した画像データだけを通信端末モジュールを使用して特定のデータ保存サーバーへデータ（ＦＴＰ）転送を行う方法と、遠隔から通信端末モジュールへ通信を行い、必要な画像データの送信を指示することを可能とすることを特徴とする室内、屋外対応の請求項１記載の一体型装置。
【考案の詳細な説明】
【技術分野】
【０００１】  本考案は、撮影用カメラと通信端末モジュールと保存用記録媒体（フラッシュメモリ）とそれらを制御する基盤を具え、撮影した画像データを保存用記録媒体（フラッシュメモリ）に一時保存を行い、画像データ通信用の通信端末モジュールを使用して撮影した画像を遠隔地のデータ保存サーバーに自動で転送する小型の一体型装置で、セキュリティー分野に対してロケーションを問わず犯罪抑止および事件の早期解決に重点をおいた遠隔監視用カメラの改良に関するものである。【０００２】  さらに本考案は、撮影した画像データを保存用記録媒体（フラッシュメモリ）に一時保存を行い、画像データの中に「顔」の画像が存在するものだけを検知し、検知した顔画像データだけを通信端末モジュールを使用してデータ転送を行うことで無駄な画像データの転送を軽減し、検索作業においてもスムーズかつ有効な閲覧ができる。
【背景技術】
【０００３】  従来、この種のカメラ装置はバッテリー内蔵で持ち歩くべき小型はなく、近い存在としてはカメラ内蔵の携帯電話が現在普及しているが、撮影から画像データの転送については一定の作業を必要とし、カメラ内蔵の携帯電話から撮影ボタンを押し、画像データを保存してメールの添付ファイルとして送信処理を行なわなければならない。また、インターネットカメラを用いては、店舗や個人宅などで固定された箇所に設置することで撮影した画像をカメラ内蔵の記録媒体に保存するか外部の保存用サーバーへ転送するなどの監視機器として使用されている。
【考案の開示】
【考案が解決しようとする課題】
【０００４】  しかしながら、従来この種のカメラは家庭用電源を必要とし、家庭用コンセントからの電源供給を主としているため、屋外対応で持ち歩きができないという問題点を有していた。【０００５】  さらに、屋外に設置する場合には防水防塵等の対策を要し、防水防塵用ハウジングを取り付ける等その環境に適切な対応または判断が必要とされている。【０００６】  本考案は従来技術の有するこのような問題を解決するために、環境を選ぶことなく手軽に外に持ち運びが可能で、自動撮影およびデータ転送のカメラ装置が事故や犯罪抑止に貢献できるとともに、事故や犯罪が発生した場合に、保存した画像データが迅速な状況把握から解決までを可能にすることを目的としている。
【課題を解決するための手段】
【０００７】  上記目的を達成するために、本考案に係る装置は、ＣＣＤカメラを用いて撮影と保存、転送を行う防犯装置であって、持ち運びの際には外部電源を必要とせず、通信回線を介して送り手が画像の撮影や転送の手間を煩わせることもなく、電源を投入後から自動で１秒間に１枚の割合で撮影を行い、記録媒体による保存やデータ転送処理を行うことができる一体型の装置にしたものである。【０００８】  また、ＣＣＤカメラが撮影した画像を記録媒体に保存し、その中の画像から「顔」として認識されたものを転送用データとして遠隔地にデータ転送することによって、受け手側の負担を軽くすることを目的としている。
また、防犯として「人による犯罪や事故」に重点を置き、人と関連がある場合のみ人の「顔」が撮影された画像を転送するので必要のない画像は転送せず、転送するデータ量を節約することができる。【０００９】  さらに、ＣＣＤカメラや通信端末モジュールとそれらすべてを制御する基盤を稼動するための電源供給として、充電式の小型バッテリーを具えることで、屋外への持ち運びによる電源供給の問題を解決できる。
【考案の効果】
【００１０】  以上の如く、本考案の自動撮影画像データ転送装置は、小型でありながら１秒間に１枚の割合で行うカメラ撮影とその画像データを保存させるための記録媒体（フラッシュメモリ）と、その画像データの中で「顔」の存在を検知するための顔認識ソフトウェアライブラリーと検出した「顔」の画像データを特定してデータ転送を行うための通信端末モジュールとそれらを制御する基盤とすべてを稼動させるためのバッテリーを具えており、これらの処理を電源投入後すべて自動で行うことで、犯罪や事故などで迅速かつ適切な対応が求められる事態には検証から解決までの有効手段として役立つ。【００１１】  また、本考案の自動撮影画像データ転送装置を、ひとりでの外出が多くなる小学生等、子供の胸元およびランドセル、カバンのベルト部分に装着させることで、カメラの存在を外部へ意識させ、防犯機器として貢献している監視カメラ同様に犯罪抑止の手段として子供の安全性を高めることができる。【００１２】  さらに、上記一体型の装置は外部ケースの結合面やカメラのレンズ周辺にゴム製の加工を施すことにより、耐久性の強化や防水、防塵などの効果を得ることができ、特定の行動を予測できない小学生等、子供の動作に十分耐えることができる。
【考案の実施するための最良の形態】
【００１３】  カメラレンズは常に開いた状態とし、装置の電源を投入したのちにカメラが１秒間に１枚の割合で自動撮影が開始され、撮影された画像データは記録媒体（フラッシュメモリ）に日時情報や使用者特定の文字情報と一緒に一時保存され、その画像データの中から「顔」検出専用の顔認識ソフトウェアライブラリーが、画像の中に「顔」という一定の被写体の存在を探し出し、検知した「顔」の存在のある画像データだけを通信端末モジュールが特定されたデータ保存サーバへ画像転送を指示する処理を行う。
【実施例】
【００１４】  以下、本考案の特徴を説明するために、添付の図面に従って実施例を説明する。図１は、本考案の第一層の構成図である。１は第一層に装着される通信端末モジュールであって、通信に係るすべての指示を制御し、遠隔からの通信に対しても必要な画像データ取得の指示を出すことができる。【００１５】  図２は、本考案の第二層の構成図である。２はＣＣＤ（電荷結合素子）カメラのレンズを具え、６の電源投入ボタンを押すことで３の電源投入確認用ＬＥＤランプが点灯し、８のＣＰＵ（中央演算処理装置）と９のＲＡＭ（主記憶装置）からなる基本的な制御基盤からの連携指示により１秒間に１枚の割合で撮影が開始され、撮影された画像データは日時情報と使用者特定の文字情報と一緒に１１の保存用記録媒体（フラッシュメモリ）に一時保存され、前記の一時保存された画像の中から７の制御用メモリによって顔認識ソフトライブラリーが「顔」の画像を検知し、検知した「顔」の画像データを１の通信端末モジュールがデータ転送を開始する。通信端末モジュールが画像データを転送している最中は５の通信確認用ＬＥＤランプが点滅する。【００１６】  さらに、この考案による装置は、装置内の一部に異常が発生すると、４の異常警告用ＬＥＤランプが点灯して使用者に装置の異常を知らせる機能があり、なおかつ犯罪や事故、災害等によって通信端末モジュールや内蔵のユニットの破損、もしくは電源供給の停止などの事態が発生した場合は、その場合においても必要とされる可能性の高い顔の画像データは遠隔地にあるデータ保存サーバーに保存されているので異常発生する直前までの画像データの検証作業に支障はない。【００１７】  この考案による撮影した画像データは制御ユニットにて日時情報や使用者特定の文字情報と一緒に１１の画像データ保存用記録媒体（フラッシュメモリ）に一時保存し、一定容量を蓄積された画像データは古い画像データから破棄して上書保存を行い常に新しい情報データを残しておくことができる。【００１８】  図３は、電源供給手段として屋外での使用を考慮し、持ち運びが可能な１４の長寿命かつ小型軽量化したリチウムイオン電池（バッテリー）を具え、図２の１２は充電用ソケットを具えることで複数回による充電作業から使用までを容易にできる。図６の１６はバッテリーの充電用機器であり、家庭用コンセントから１２に接続することで充電が開始される。【００１９】  図４は、すべての装置を収めるための正面図であり、１５の本体カバーは強化プラスチックにより耐久性を高め、２のカメラレンズ周辺にゴムによる加工を施すことにより防水、防塵対策と衝撃緩和ができる。【００２０】  図５は、各層の側面図であり、第一層の本体カバー表面に１の通信端末モジュールを具えており、第二層の基盤部に２のＣＣＤカメラのレンズと６の電源投入ボタンなどの主要ユニットを具え、８のＣＰＵ（中央演算処理装置）と９のＲＡＭ（主記憶装置）からなる基本的な制御基盤を構成し、衝撃に弱い基盤部を第三層と１４であるバッテリーと第一層の通信端末モジュールとの中心に置くことで衝撃緩和の役割を果たす。【００２１】  図７は、１８ａの本装置が１秒間に１枚の割合で自動撮影し続けた画像データを１８の「顔」の画像データ��みを認識し、１７の遠隔地にある特定の画像保存用サーバーにＦＴＰ転送を行うシステム構成図である。【００２２】  図８は、遠隔の通信管理センターより特定の使用者である１８の本装置の通信端末モジュールへ通信を行い、通信機能を起動させる要求と記録媒体（フラッシュメモリ）に一時保存されている画像を遠隔指示により遠隔地の画像保存サーバー（データセンター）へＦＴＰによるデータ転送を行う場合のシステム構成図である。【００２３】  図９は、２０のカメラレンズが被写体を撮影する際に、２４のカメラ制御と２２のオートゲインコントローラ（ＡＧＣ）にて映像を調節し、２３のアナログデジタル（ＡＤ）変換回路にてアナログ映像からデジタル映像へ変換を行い、２６のデジタル制御回路が顔認識ソフトウェアライブラリーにて２８の顔認識の作業を開始し、同時に２７のＪＰＥＧエンコード回路によって保存用としての画像データ圧縮を行い、画像保存用記録媒体（フラッシュメモリ）へ一時保存される。２８にて「顔」が検知された画像データは２９のアラーム監視の情報として３０の記録画像の情報と一緒に３１の制御ユニットへデータ転送の準備をおこない、３２の通信端末モジュールへ画像データと日時情報、使用者を特定する文字情報と一緒にＦＴＰ転送を行うシステム構成図である。
【図面の簡単な説明】
【００２４】
【図１】本装置の通信端末モジュールを示す第１層の正面図である。
【図２】本装置の撮影から画像データの保存と電源投入ボタンを示す第２層の正面図である。
【図３】本装置の電源供給部のバッテリーを示す第３層の正面図である。
【図４】本装置の筐体正面図である。
【図５】本装置の各層別にした側面図である。
【図６】本装置の電源供給用バッテリーを充電する機器の正面図である。
【図７】本装置の画像データを転送するしくみを示す構成図である。
【図８】本装置の画像データを外部から取得するためのしくみを示す構成図である。
【図９】本装置の構成を示すブロック図である。
【符号の説明】
【００２５】１    通信端末モジュール
２    撮影用カメラレンズ
３    電源確認用ＬＥＤランプ
４    異常警告用ＬＥＤランプ
５    データ通信時点灯ＬＥＤランプ
６    電源投入ボタン
７    顔認識ソフトウェアライブラリー制御用メモリ
８    ＣＰＵ（中央処理演算装置）
９    ＲＡＭ（主記憶装置）
１０  通信端末モジュール専用ボタン電池
１１  画像保存用記録媒体（フラッシュメモリ）
１２  バッテリー充電用ソケット
１３  制御基盤（メインボード）
１４  電源供給用バッテリー
１５  本体カバー正面
１６  バッテリー充電用ソケット
１７  データセンター
１８  カメラ撮影環境
１８ａ  本装置
１９  管理センター
１９ａ  管理センターのオペレーター
２０  カメラレンズ
２１  ＣＣＤ部
２２  オードゲインコントローラ
２３  ＡＤ変換回路
２４  カメラ制御回路
２５  ＣＣＤ電荷制御回路
２６  デジタル制御回路
２７  ＪＰＥＧエンコード回路
２８  顔認識ソフトウェアライブラリー
２９  アラーム監視回路
３０  画像保存用記録媒体（フラッシュメモリ）
３１  制御ユニット
３２  通信端末モジュール
【図１】
0003112652.tif 000003
【図２】
0003112652.tif 000004
【図３】
0003112652.tif 000005
【図４】
0003112652.tif 000006
【図５】
0003112652.tif 000007
【図６】
0003112652.tif 000008
【図７】
0003112652.tif 000009
【図８】
0003112652.tif 000010
【図９】
0003112652.tif 000011